(57)【要約】【課題】着呼者側で発呼者側のＲＢＴを設定できるシステムを提供すること。【解決手段】この音情報提供システム１０は、ユーザが使用する携帯電話機３０から送信される、当該携帯電話機３０を特定する発信者番号及び発呼先の携帯電話機３５を特定する着信者番号を含む発呼情報を受信する受信部１０１と、着信者番号に対応する音情報を、着信者番号と音情報とが関連付けられて格納されている音情報格納部１１０に格納されている音情報の中から選択する音情報選択部１０２と、当該選択した音情報を携帯電話機３０に送信する送信部１０３と、発信者番号、着信者番号、及び音情報を関連付けて実績情報格納部１１１に格納する音情報記録部１０４と、を備える。【選択図】  図１
2004282609.tif 000002
【特許請求の範囲】
【請求項１】
ユーザが使用する通信端末であって通信網を介して送られてくる音情報に基づいて所定の音を発生させることが可能な通信端末から送信される、当該通信端末を特定する発呼端末特定情報及び発呼先の通信端末を特定する着呼端末特定情報を含む発呼情報を受信する受信手段と、
前記着呼端末特定情報に対応する音情報を、着呼端末特定情報と音情報とが関連付けられて格納されている音情報格納手段に格納されている音情報の中から選択する音情報選択手段と、
当該選択した音情報を前記ユーザが使用する通信端末に送信する送信手段と、前記発呼端末特定情報、前記着呼端末特定情報、及び前記音情報を関連付けて実績情報格納手段に格納する音情報記録手段と、を備える音情報提供システム。
【請求項２】
前記ユーザが使用する情報通信端末から送信され、少なくとも前記発呼端末特定情報を含む開示要求を受信する要求受信手段と、
当該受信した開示要求に基づいて、前記発呼端末特定情報に対応する情報であって前記実績情報格納手段に格納されている情報を選択する実績選択手段と、
当該選択した情報を前記情報通信端末に送信する実績送信手段と、を更に備える請求項１に記載の音情報提供システム。
【発明の詳細な説明】
【０００１】
【発明の属する技術分野】
本発明は、音情報提供システムに関するものである。
【０００２】
【従来の技術】
通信網を介して送られてくる情報に基づいて音を発生させることが可能な通信端末（固定電話機、移動機、ファクシミリ通信機等を含む。以下同じ。）から他の通信端末へ発呼する際に、その発呼動作の局面に応じて発信音（ダイヤルトーン、ＤＴ）、呼出音（リングバックトーン、ＲＢＴ）、話中音（ビジートーン、ＢＴ）といった音が発呼元の通信端末の受話部から出力される。これらの音は、通信網を通じて交換機から送られてくる電気信号を音に変換して出力されるものである。従って、それらの音は予め定められているものであった。これに対して、任意の音にＤＴやＲＢＴやＢＴを設定できる技術として下記特許文献１に記載されているようなものが知られている。
【０００３】
【特許文献１】
特開２００２−３３８０１号公報
【０００４】
【発明が解決しようとする課題】
従来の技術では、発呼者の通信端末内で発呼者が設定した音に変換するものである。従って、例えば着呼者側で自分の好みの音楽を設定し、発呼者側にその音楽をＲＢＴとして送ることはできなかった。
【０００５】
そこで本発明では、着呼者側で発呼者側のＲＢＴを設定できるシステムを提供することを課題とする。
【０００６】
【課題を解決するための手段】
本発明の音情報提供システムは、ユーザが使用する通信端末であって通信網を介して送られてくる音情報に基づいて所定の音を発生させることが可能な通信端末から送信される、当該通信端末を特定する発呼端末特定情報及び発呼先の通信端末を特定する着呼端末特定情報を含む発呼情報を受信する受信手段と、着呼端末特定情報に対応する音情報を、着呼端末特定情報と音情報とが関連付けられて格納されている音情報格納手段に格納されている音情報の中から選択する音情報選択手段と、当該選択した音情報をユーザが使用する通信端末に送信する送信手段と、発呼端末特定情報、着呼端末特定情報、及び音情報を関連付けて実績情報格納手段に格納する音情報記録手段と、を備える。
【０００７】
本発明の音情報提供システムによれば、音情報格納手段に相互に関連付けられて格納されている着呼端末特定情報及び音情報の中から、発呼情報に含まれる着呼端末特定情報に基づいて音情報を選択するので、発呼先の通信端末のユーザが設定した音情報をユーザが使用する通信端末に提供できる。また、発呼端末特定情報、着呼端末特定情報、及び音情報を関連付けて実績情報格納手段に格納するので、例えばどの発呼先に電話をかけたときにどの音情報が用いられたかといった情報を保持できる。
【０００８】
また本発明の音情報提供システムでは、ユーザが使用する情報通信端末から送信され、少なくとも発呼端末特定情報を含む開示要求を受信する要求受信手段と、当該受信した開示要求に基づいて、発呼端末特定情報に対応する情報であって実績情報格納手段に格納されている情報を選択する実績選択手段と、当該選択した情報を情報通信端末に送信する実績送信手段と、を更に備えることも好ましい。ユーザが使用する情報通信端末から送信される開示要求に基づいて、実績情報格納手段に格納されている音情報といった関連する情報を送信するので、例えば特定の発呼先に電話をかけたときに用いられた音情報について知ることができる。
【０００９】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１０】
本発明の実施形態である音情報提供システムについて図１を用いて説明する。図１は音情報提供システム１０を説明するための図である。音情報提供システム１０は、音声通信網２０（通信網）及びデータ通信網２５を介して携帯電話機３０（情報通信端末、通信端末）及び携帯電話機３５（情報通信端末、通信端末）と相互に情報通信が可能なように構成されている。携帯電話機３０は、音情報提供システム１０を利用するユーザが使用する携帯電話機であって、音声通話とデータ通信とが可能なように構成されている。また、携帯電話機３５は、携帯電話機３０のユーザが電話をかける相手先の携帯電話機であって、音声通話とデータ通信とが可能なように構成されている。
【００１１】
引き続いて音情報提供システム１０について説明する。音情報提供システム１０は、物理的には、ＣＰＵ（中央処理装置）、メモリ、マウスやキーボードといった入力装置、ディスプレイといった表示装置、ハードディスクといった格納装置、モデムといった通信装置などを備えたコンピュータシステム（若しくはコンピュータシステムの集合体）として構成されている。
【００１２】
音情報提供システム１０は、機能的な構成要素として、受信部１０１（受信手段）と、音情報選択部１０２（音情報選択手段）と、送信部１０３（送信手段）と、音情報記録部１０４（音情報記録手段）と、要求受信部１０５（要求受信手段）と、実績選択部１０６（実績選択手段）と、実績送信部１０７（実績送信手段）と、音情報格納部１１０（音情報格納手段）と、実績情報格納部１１１（実績情報格納手段）とを含む。引き続いて、各構成要素について詳細に説明する。
【００１３】
受信部１０１は、携帯電話機３０から送信される発呼情報を受信し、音情報選択部１０２に出力する部分である。より具体的には、発呼情報には携帯電話機３０の電話番号である発信者番号（発呼端末特定情報）及び発呼先である携帯電話機３５の電話番号である着信者番号（着呼端末特定情報）が含まれる。この発呼情報は、発呼する際に携帯電話機３０から音声通信網２０に送信される情報を、音声通信網２０が音情報提供システム１０に送信するものである。
【００１４】
音情報選択部１０２は、受信部１０１から出力される発呼情報に対応する音情報を、音情報格納部１１０に格納されている音情報から選択し、送信部１０４に出力する部分である。ここで、音情報格納部１１０に格納されている情報の例を図２（ａ）及び図２（ｂ）を用いて説明する。図２（ａ）に示す例に拠れば、「着信者番号（着呼端末特定情報）」と、「音源ＩＤ」とが関連付けられて格納されている。「着信者番号」は、ここに該当する電話番号に対して発呼があった場合に、この「着信者番号」に対応する「音源ＩＤ」を特定するためのキーとなる情報である。「音源ＩＤ」は、携帯電話機３０に提供する音情報を特定する情報である。図２（ｂ）に示すように、音情報格納部１１０には「音源ＩＤ」と「音情報」とが関連付けられて格納されている。
【００１５】
図２（ａ）において、着信者番号として格納されている「０９０−ＸＸＸＸ−ＸＸＸＸ」は携帯電話機３０の電話番号であり、「０９０−ＸＸＸＸ−ＹＹＹＹ」は携帯電話機３５の電話番号である。従って、携帯電話機３０を使用するユーザが、「０９０−ＸＸＸＸ−ＹＹＹＹ」に（すなわち携帯電話機３５に）電話をかけると、図２（ａ）に示す情報テーブルに基づいて「音楽０１」の音源ＩＤが特定され、図２（ｂ）に示す情報テーブルに基づいて「ｍｕｓｉｃ．ｗａｖ」の音情報が特定される。情報選択部１０２は、「ｍｕｓｉｃ．ｗａｖ」の音情報を選択してその音源ＩＤ「音楽０１」、発信者番号「０９０−ＸＸＸＸ−ＸＸＸＸ」及び着信者番号「０９０−ＸＸＸＸ−ＹＹＹＹ」と共に送信部１０３に出力する。
【００１６】
送信部１０３は、音情報選択部１０２が選択した音情報を携帯電話機３０に送信する部分である。また、送信部１０３は音情報記録部１０４に対して、「音楽０１」の音源ＩＤ、発信者番号「０９０−ＸＸＸＸ−ＸＸＸＸ」、及び着信者番号「０９０−ＸＸＸＸ−ＹＹＹＹ」を出力する。より具体的には、音情報として「ｍｕｓｉｃ．ｗａｖ」が、電話番号として「０９０−ＸＸＸＸ−ＸＸＸＸ」がそれぞれ出力された場合には、送信部１０４は「ｍｕｓｉｃ．ｗａｖ」の音情報を「０９０−ＸＸＸＸ−ＸＸＸＸ」の電話番号と共に音声通信網２０に送信し、その音情報「ｍｕｓｉｃ．ｗａｖ」は音声通信網２０から「０９０−ＸＸＸＸ−ＸＸＸＸ」の電話番号で特定される携帯電話機３０に送信される。音声通信網２０では、この音情報「ｍｕｓｉｃ．ｗａｖ」を携帯電話機３０が呼接続を確立するまで送り続け、呼接続が確立するとその送信を停止する。携帯電話機３０では、この音情報「ｍｕｓｉｃ．ｗａｖ」に基づいてＲＢＴ（リングバックトーン、呼出音）として所定の音を発生させる。
【００１７】
音情報記録部１０４は、「音楽０１」の音源ＩＤ、発信者番号「０９０−ＸＸＸＸ−ＸＸＸＸ」、及び着信者番号「０９０−ＸＸＸＸ−ＹＹＹＹ」を関連付けて実績情報格納部１１１に格納する。図３（ａ）及び図３（ｂ）に実績情報格納部１１１に格納されている情報の例を示す。図３（ａ）の例に拠れば、「発信者番号」と、「着信者番号」と、「日時」と、「音源ＩＤ」とが関連付けられて格納されている。ここで、「発信者番号」、「着信者番号」、「音源ＩＤ」は送信部１０３から出力される情報であり、「日時」は当該呼に対応する日時を音情報記録部１０４が特定して格納する。この「日時」は、携帯電話機３０から送信される発呼情報を音情報提供システム１０が受信した日時に対応している。
【００１８】
図３（ｂ）には、「音源ＩＤ」と、「音源名１」と、「音源名２」と、「リンク情報１」と、「リンク情報２」とが関連付けられて格納されている。「音源名１」及び「音源名２」は「音源ＩＤ」に関連する名称情報である。例えば「音源ＩＤ」が「音楽０１」であれば、「音源名１」には曲名としての「歌１」が、「音源名２」には歌手名としての「歌手１」がそれぞれ格納されている。「リンク情報１」及び「リンク情報２」は「音源ＩＤ」に関連するウェブ上のリンク先を特定する情報である。
【００１９】
要求受信部１０５は、ユーザが使用する携帯電話機３０から送信され、少なくとも携帯電話機３０の電話番号を含む開示要求を受信する。この開示要求には、ユーザが携帯電話機３０を用いて通話した日時を特定する情報が含まれてもよい。要求受信部１０５は、この開示要求を実績選択部１０６に出力する。
【００２０】
実績選択部１０６は、要求受信部１０５が受信して出力してくる開示要求に基づいて、携帯電話機３０の電話番号に対応する情報であって実績情報格納部に格納されている情報を選択する。実績選択部１０６は、この選択した情報を実績送信部１０７に出力する。より具体的には、開示要求に含まれる電話番号が「０９０−ＸＸＸＸ−ＸＸＸＸ」であれば、図３（ａ）に例示される情報テーブルに基づいて、「着信者番号」として「０９０−ＸＸＸＸ−ＹＹＹＹ」を、「日時」として「２００３年１月８日１３時００分」を、それぞれ選択し、図３（ｂ）に例示される情報テーブルに基づいて、「音源名１」として「歌１」を、「音源名２」として「歌手１」を、「リンク情報１」として「ｕｔａ．ｃｏｍ」を、「リンク情報２」として「ｋａｓｙｕ．ｃｏｍ」を、それぞれ選択して実績情報送信部１０７に出力する。
【００２１】
実績送信部１０７は、実績選択部１０６が選択して出力してくる情報を携帯電話機３０に送信する。前述の例に拠れば、「着信者番号」として「０９０−ＸＸＸＸ−ＹＹＹＹ」を、「日時」として「２００３年１月８日１３時００分」を、「音源名１」として「歌１」を、「音源名２」として「歌手１」を、「リンク情報１」として「ｕｔａ．ｃｏｍ」を、「リンク情報２」として「ｋａｓｙｕ．ｃｏｍ」を、それぞれ携帯電話機３０に送信する。携帯電話機３０は、これらの受信した情報をディスプレイに表示し、ユーザはその情報を確認することができる。
【００２２】
この実施形態では上述の通り音情報提供システム１０として構成しているが、それぞれの機能部分や格納情報を分散させてもよい。例えば、図２（ｂ）に示す音情報を音源サーバといったサーバシステムに格納してもよい。その場合に、音源サーバを複数設けてもよく、複数の音情報を区分して音源ボックス番号といった管理番号を導入して管理してもよい。更に、音情報を音源サーバに格納した場合に、音源ＩＤと音情報とのリンク情報を利用してもよい。その場合には、音情報へのリンク情報を格納するポータルサーバといったサーバシステムを導入してもよい。ポータルサーバには、音源ＩＤとリンク情報とが関連付けられて格納され、音源ＩＤが特定されればそれに対応するリンク情報に基づいて音情報を特定することとなる。
【００２３】
尚、この実施形態では携帯電話機３０から登録情報及び参照情報を送信しているが、例えば他の情報通信端末（例えば、パーソナルコンピュータ）から登録情報及び参照情報を送信してもよい。
【００２４】
本実施形態によれば、音情報選択部１０２が、音情報格納部１１０に相互に関連付けられて格納されている着信者番号及び音情報の中から、発呼情報に含まれる着信者番号に基づいて音情報を選択するので、発呼先の通信端末である携帯電話機３５のユーザが設定した音情報をユーザが使用する携帯電話機３０に提供できる。また、発信者番号、着信者番号、及び音情報を関連付けて実績情報格納部１１１に格納するので、携帯電話機３５に電話をかけたときにどの音情報が用いられたかといった情報を保持できる。
【００２５】
また本実施形態では、ユーザが使用する携帯電話機３０から送信される開示要求に基づいて、実績情報格納部１１１に格納されている音源名やリンク情報といった開示要求に関連する情報を送信するので、携帯電話機３５に電話をかけたときに用いられた音情報についての音源名やリンク情報について知ることができる。
【００２６】
【発明の効果】
本発明によれば、音情報格納手段に相互に関連付けられて格納されている着呼端末特定情報及び音情報の中から、発呼情報に含まれる着呼端末特定情報に基づいて音情報を選択するので、発呼先の通信端末のユーザが設定した音情報をユーザが使用する通信端末に提供できる。また、発呼端末特定情報、着呼端末特定情報、及び音情報を関連付けて実績情報格納手段に格納するので、例えばどの発呼先に電話をかけたときにどの音情報が用いられたかといった情報を保持できる。
従って本発明の目的とする、着呼者側で発呼者側のＲＢＴを設定できるシステムを提供することができた。
【図面の簡単な説明】
【図１】本発明の実施形態である音情報提供システムを説明するための図である。
【図２】図１の音情報格納部に格納されている情報の例を示す図である。
【図３】図１の実績情報格納部に格納されている情報例を示す図である。
【符号の説明】
１０…音情報提供システム、１０１…受信部、１０２…音情報選択部、１０３…送信部、１０４…音情報記録部、１０５…要求受信部、１０６…実績選択部、１０７…実績送信部、１１０…音情報格納部、１１１…実績情報格納部、２０…音声通信網、２５…データ通信網、３０…携帯電話機、３５…携帯電話機。
【図１】
2004282609.tif 000003
【図２】
2004282609.tif 000004
【図３】
2004282609.tif 000005